(57)【要約】【課題】戸と戸の隙間をできるだけ小さくすることができ、戸のスライドに必要な全体幅、すなわち設置面積を小さくすることができる連動引戸を提供することを目的とする。【解決手段】本発明の連動引戸１は、上部案内部Ｇｕおよび下部案内部Ｇｌによって案内され、互いに平行に配置される複数の引戸が連動して開閉可能である連動引戸１であって、隣接する２つの引戸Ｄ１、Ｄ２と、２つの引戸のうちの一方の引戸Ｄ１の下端部に、他方の引戸Ｄ２に向かって突出して取り付けられた連動輪Ｗとを備え、２つの引戸のうちの他方の引戸Ｄ２の下端部かつ引戸の厚さ方向内側に、引戸開閉方向に沿って連動輪収容部Ｓｔが形成され、連動輪収容部Ｓｔは、連動輪Ｗの頂部が当接する当接部Ｃを備え、他方の引戸Ｄ２を引戸開閉方向に移動させると、連動輪Ｗが、連動輪収容部Ｓｔの当接部Ｃおよび下部案内部Ｇｌの両方に当接して一方の引戸Ｄ１が連動することを特徴とする。【選択図】図１
2015031073.tif 000002
【特許請求の範囲】
【請求項１】
上部案内部および下部案内部によって案内され、互いに平行に配置される複数の引戸が連動して開閉可能である連動引戸であって、
隣接する２つの引戸と、
隣接する２つの引戸のうちの一方の引戸の下端部に、他方の引戸に向かって突出して取り付けられた連動輪とを備え、
隣接する２つの引戸のうちの他方の引戸の下端部かつ引戸の厚さ方向内側に、引戸開閉方向に沿って連動輪収容部が形成され、該連動輪収容部は、前記連動輪の頂部が当接する当接部を備え、
前記他方の引戸を引戸開閉方向に移動させると、前記連動輪が、前記連動輪収容部の当接部および前記下部案内部の両方に当接して前記一方の引戸が連動することを特徴とする連動引戸。
【請求項２】
前記連動輪収容部が、前記他方の引戸の引戸開閉方向に沿って設けられ、前記一方の引戸に対向する側面の下端部を覆う保護カバーを備えることを特徴とする請求項１記載の連動引戸。
【請求項３】
前記連動輪は、前記一方の引戸の下端部と前記連動輪収容部の内部との間に延びる連動輪支持部材に回転可能に取り付けられ、該連動輪支持部材は、前記保護カバーの下端と下部案内部の間から前記連動輪収容部の内部に延伸することを特徴とする請求項２記載の連動引戸。
【請求項４】
前記当接部に、弾性部材または付勢部材が設けられることを特徴とする請求項１〜３のいずれか１項に記載の連動引戸。
【請求項５】
前記下部案内部に、前記引戸を案内するための下部溝と、前記下部溝に隣接して、かつ前記下部溝に平行に、前記連動輪が当接する補助溝とが設けられることを特徴とする請求項１〜４のいずれか１項に記載の連動引戸。
【請求項６】
前記一方の引戸および他方の引戸のそれぞれに、前記下部案内部に当接して転動する戸車が設けられ、前記一方の引戸が少なくとも２つの連動輪を備え、前記一方の引戸の戸車および前記連動輪が、前記引戸の引戸開閉方向で、前記連動輪の回転軸の間に前記一方の引戸の戸車の回転軸が位置するように配置されることを特徴とする請求項１〜５のいずれか１項に記載の連動引戸。
【発明の詳細な説明】
【技術分野】
【０００１】
本発明は、連動引戸に関する。
【背景技術】
【０００２】
近年の住宅においては、有効開口を広げることができるというメリットを活かし、開口部に連動引戸が用いられることが多い。これは、新築の場合に限らず、改築においても同様である。特に、マンションを改築するような場合には、一戸建てのように既存の建物につぎ足す形の増築はできないので、できるかぎり現状の広さを有効に活用したいというニーズから、連動引戸が活用される。
【０００３】
このような連動引戸において引戸を連動させるための機構は、たとえば特許文献１に開示されている。特許文献１に記載された引き戸連動装置１００は、図５に示されるように、上吊式引戸に用いられ、前引き戸１０１、後引き戸１０２およびこれらを移動自在に支持する支持レール１０３、１０４により構成される。支持レール１０３、１０４は距離を隔てて平行に配置され、両支持レール１０３、１０４の上方および側方を覆うカバー部材１０５と一体成形され、一体となった支持レール１０３、１０４およびカバー部材１０５が前引き戸１０１、後引き戸１０２をまたぐように配置されている。前引き戸１０１および後引き戸１０２は、取付け部材１０６、１０７に回転自在に取付けられた回転輪１０８、１０９が両支持レール１０３、１０４上を転動することにより、図面中表裏方向に移動自在である。また、取付け部材１０７に固定された補助回転輪取付具１１０に回転自在に取付けられた補助回転輪１１１は、カバー部材１０５の下面と、取付け部材１０６に固定された移動力伝達部材１１２の上面との両方に当接している。この構成において、前引き戸１０１を移動させると、移動力伝達部材１１２が移動し、補助回転輪１１１が転動して、後引き戸１０２がこれに連動して移動する。
【先行技術文献】
【特許文献】
【０００４】
【特許文献１】特開平１０−２８０７９０号公報
【発明の概要】
【発明が解決しようとする課題】
【０００５】
上吊式引戸は、戸を吊り下げるので、戸の重量がある場合も比較的スムーズに開閉できるという利点がある反面、遮音性や気密性に劣るという問題を有している。さらに、通常、上吊式引戸の場合、引戸の上部で引戸を支持する構造であるので、引戸上部において、引戸が支持されている箇所を支点とする引戸の下部側の振れを防ぐために、床面から突出した引戸用振止が設けられる。このような振止があると、引戸を開放したときに、開放された開口部の床面から振止が突出することになり、見栄えが悪いだけでなく、人が足を引っ掛けるなど非常に危険である。そのため、住宅等においては、上吊式引戸ではなく、床に設けられた溝やレール等を走行する引戸（以下、単に引戸という）を用いることが好ましい場合が多い。
【０００６】
しかし、このような引戸に、特許文献１のような上吊式の連動引戸構造を適用することは難しい。なぜならば、引戸の下部側には、レールや溝を走行するための戸車が設けられたり、遮音性や気密性を良くするために戸が床面に近接または接触して配置されるので、上吊式引戸のような構造を設けるスペースがないからである。そのため、上吊式引戸の連動引戸構造を引戸の下部側に適用する場合、同じ特許文献１では、図６に示すような構造が採用されている。この図６に示された引き戸連動装置２００は、後引き戸２０２の下端近傍の側面から前引き戸２０１側に突出して補助回転輪２０３が設けられ、補助回転輪２０３が、前引き戸２０１の下端近傍の側面から後引き戸２０２に向かって突出した移動力伝達部材２０４と下レール２０５との両方に当接するように構成されている。補助回転輪２０３および移動力伝達部材２０４は、図６に示されるように、前引き戸２０１と後引き戸２０２の間に配置されている。この構成において、前引き戸２０１を移動させると、移動力伝達部材２０４が移動し、補助回転輪２０３が転動して、後引き戸２０２がこれに連動して移動する。このような構造の場合、前引き戸２０１と後引き戸２０２の間に補助回転輪２０３および移動力伝達部材２０４を設けるために充分な隙間を形成する必要がある。そのため、戸と戸の間の隙間を狭くすることができず、戸を閉めた状態でも遮音性や気密性が悪くなるし、戸のスライドに必要な全体幅（図６中、左右方向の長さ）、すなわち設置面積も大きくなってしまう。せっかく遮音性や気密性の良い引戸を採用しているのに、連動引戸構造のために遮音性や気密性が悪くなっては意味が無い。さらに、前引き戸２０１と後引き戸２０２の間で、補助回転輪２０３が戸の外部にむき出し状態になっているため、屋内で使用するには非常に見栄えが悪い。
【０００７】
そこで、本発明は、従来の連動引戸構造の有する問題を改良するためになされたもので、戸の下部側に連動引戸構造が設けられた連動引戸において、戸と戸の隙間をできるだけ小さくすることができ、戸のスライドに必要な全体幅、すなわち設置面積を小さくすることができる連動引戸を提供することを目的とする。
【課題を解決するための手段】
【０００８】
本発明の連動引戸は、上部案内部および下部案内部によって案内され、互いに平行に配置される複数の引戸が連動して開閉可能である連動引戸であって、隣接する２つの引戸と、隣接する２つの引戸のうちの一方の引戸の下端部に、他方の引戸に向かって突出して取り付けられた連動輪とを備え、隣接する２つの引戸のうちの他方の引戸の下端部かつ引戸の厚さ方向内側に、引戸開閉方向に沿って連動輪収容部が形成され、該連動輪収容部は、前記連動輪の頂部が当接する当接部を備え、前記他方の引戸を引戸開閉方向に移動させると、前記連動輪が、前記連動輪収容部の当接部および前記下部案内部の両方に当接して前記一方の引戸が連動することを特徴とする。
【０００９】
また、前記連動輪収容部が、前記他方の引戸の引戸開閉方向に沿って設けられ、前記一方の引戸に対向する側面の下端部を覆う保護カバーを備えることが好ましい。
【００１０】
また、前記連動輪は、前記一方の引戸の下端部と前記連動輪収容部の内部との間に延びる連動輪支持部材に回転可能に取り付けられ、該連動輪支持部材は、前記保護カバーの下端と下部案内部の間から前記連動輪収容部の内部に延伸することが好ましい。
【００１１】
また、前記当接部に、弾性部材または付勢部材が設けられることが好ましい。
【００１２】
また、前記下部案内部に、前記引戸を案内するための下部溝と、前記下部溝に隣接して、かつ前記下部溝に平行に、前記連動輪が当接する補助溝とが設けられることが好ましい。
【００１３】
また、前記一方の引戸および他方の引戸のそれぞれに、前記下部案内部に当接して転動する戸車が設けられ、前記一方の引戸が少なくとも２つの連動輪を備え、前記一方の引戸の戸車および前記連動輪が、前記引戸の引戸開閉方向で、前記連動輪の回転軸の間に前記一方の引戸の戸車の回転軸が位置するように配置されることが好ましい。
【発明の効果】
【００１４】
本発明によれば、戸の下部側に連動引戸構造が設けられた引戸において、戸と戸の隙間をできるだけ小さくでき、戸のスライドに必要な全体幅、すなわち設置面積を小さくすることができる引戸を提供できる。
【図面の簡単な説明】
【００１５】
【図１】本発明の連動引戸の一実施形態を示す側面断面図である。
【図２】本発明の連動引戸の一実施形態を示す上面図である。
【図３】図１の実施形態における連動輪と連動輪支持部材を拡大した側面断面図である。
【図４】本発明の連動引戸の開閉動作を模式的に示した斜視図である。
【図５】従来の引き戸連動装置の要部構成を示す断面図である。
【図６】従来の引き戸連動装置の要部構成を示す断面図である。
【発明を実施するための形態】
【００１６】
以下、添付図面を参照し、本発明の連動引戸を詳細に説明する。
【００１７】
本発明の連動引戸１は、図１に示されるように、上部案内部Ｇｕおよび下部案内部Ｇｌによって案内され、互いに平行に配置される複数の引戸Ｄ１、Ｄ２が連動して開閉可能であるように構成される。本発明の連動引戸１は、複数の引戸が連動して開閉可能な構造を有するので、有効開口を広げることができ、屋内・屋外を問わず、有効開口を広げるニーズのあるあらゆる開口部において使用することができる。特に、後に詳しく述べるように、隣接する戸と戸の間の隙間を小さくすることができるので、遮蔽性や気密性が要求される開口部、たとえば戸建て住宅やマンション等の住宅用の開口部にも使用することができる。
【００１８】
上部案内部Ｇｕおよび下部案内部Ｇｌは、開口部の上部および下部に設けられ、複数の引戸を開閉方向に案内することができれば、溝やレールが設けられた鴨居、敷居など、いかなる構造であってもよく、特に限定されない。しかし、引戸を安定して開閉するという観点からは、図１に示される本実施形態のように、下部案内部Ｇｌに、引戸Ｄ１、Ｄ２を案内するための下部溝Ｒ１、Ｒ２と、下部溝Ｒ１、Ｒ２に隣接して、かつ下部溝Ｒ１、Ｒ２に平行に、後述する連動輪Ｗが当接する補助溝Ｒｓとが設けられることが好ましい。この補助溝Ｒｓが設けられた下部案内部Ｇｌは、床面に取り付け可能なレール状部材として形成し、新築時、リフォーム時に２つの下部溝Ｒ１、Ｒ２および補助溝Ｒｓとを設けたレール状部材としての下部案内部Ｇｌを床面Ｆに、公知の固着手段により取り付けるようにしてもよい。
【００１９】
複数の引戸は、上部案内部Ｇｕおよび下部案内部Ｇｌに案内され、互いに平行に配置されるものであれば、特に限定されるものではなく、上述のようにいかなる用途に用いられるものであってもよく、木製、金属製、ガラス製などいかなる材質であっても良い。また、図１に示される実施形態では、２つの引戸しか示されていないが、３つ以上の引戸であってもよい。引戸の上部および下部構造も、上部案内部Ｇｕおよび下部案内部Ｇｌに案内される構造であれば特に限定されず、後に詳しく述べる本実施形態のように、戸車を有する構造などいかなる構造であってもよい。また、連動引戸１は、複数の引戸が連動して開閉可能であるように構成されるが、複数の引戸のうち１つまたは２つ以上の引戸を開閉方向に移動させると、他の１つまたは２つ以上の引戸がその移動に連動して開閉方向に移動させられるように構成されていればよく、必ずしもすべての引戸が連動していなくても、その一部の引戸が連動して開口部が開閉されるように構成されていればよい。
【００２０】
本発明の連動引戸１は、図１に示されるように、隣接する２つの引戸Ｄ１、Ｄ２を備えている。隣接する２つの引戸Ｄ１、Ｄ２は、図１に示されるように、その開閉方向に延びる側面Ｓ１、Ｓ２が互いに向き合うように配置されている。このような配置により、後に詳しく述べるように、２つの引戸Ｄ１、Ｄ２は互いに連動することができる。２つの引戸Ｄ１、Ｄ２の間の距離は、両者が互いに連動することができる距離であればよく、特に限定されないが、連動引戸１が遮蔽性や気密性が要求される開口部に用いられる場合には、所定の遮蔽性や気密性が保たれるような距離であることが好ましく、後述する本発明の構造によれば、この距離を最小限にすることができる。また、本実施形態では、２つの引戸Ｄ１、Ｄ２には、それぞれに、下部案内部Ｇｌに当接して転動する１つまたは２つ以上の戸車ＤＲ１、ＤＲ２が設けられている。戸車ＤＲ１、ＤＲ２としては、市販の戸車を用いることができるが、戸車ＤＲ１、ＤＲ２と後に詳しく述べる転動輪Ｗとを下部案内部Ｇｌに等しく当接させるように配置するために、高さ調整機能の付いた戸車や、引戸の鉛直下方向に付勢される戸車を用いることが好適である。また、引戸Ｄ１、Ｄ２を安定して開閉するために、戸車ＤＲ１、ＤＲ２の幅が、下部溝Ｒ１、Ｒ２の幅と略同一であることが好ましい。
【００２１】
本発明の連動引戸１は、図１に示されるように、隣接する２つの引戸Ｄ１、Ｄ２のうちの一方の引戸Ｄ１の下端部に、他方の引戸Ｄ２に向かって突出して取り付けられた連動輪Ｗを備えている。本実施形態における連動輪Ｗは、図１に示されるように、一方の引戸Ｄ１の下端部と後述する連動輪収容部Ｓｔの内部との間に延びる連動輪支持部材Ｓｕに回転可能に取り付けられている。詳細には、連動輪支持部材Ｓｕは、図３に示されるように、固定部Ｓｕ１、連結部Ｓｕ２および軸受部Ｓｕ３を備えている。図３に示す実施形態では、連動輪支持部材Ｓｕは、平板状の部材が折り曲げられた断面略Ｊ字状に形成され、固定部Ｓｕ１は、ネジや接着剤等、公知の固着手段により、一方の引戸Ｄ１の側面Ｓ１の下端に取り付けられる平板状の部材であり、連結部Ｓｕ２は、固定部Ｓｕ１の下端から固定部Ｓｕ１に対して垂直方向に、他方の引戸Ｄ２側に向かって延び、固定部Ｓｕ１と軸受部Ｓｕ３とを連結している。軸受部Ｓｕ３は、連結部Ｓｕ２の端部から鉛直上方向に延び、本実施形態では、連結部Ｓｕ２が後述する保護カバーＳＣの下端の鉛直下方向を通るように配置されて、保護カバーＳＣの下端と下部案内部Ｇｌの間から連動輪収容部Ｓｔの内部に延伸している。こうして、連動輪Ｗは、連動輪Ｗの回転軸Ｗａが、図１に示されるように、引戸開閉方向に垂直に、かつ下部案内部Ｇｌに平行になるように、一方の引戸Ｄ１に対して回転可能に取付けられている。そして、連動輪Ｗは、下部案内部Ｇｌの補助溝Ｒｓと後に詳しく述べる連動輪収容部Ｓｔの当接部Ｃとの両方に当接している。このような構成により、連動輪Ｗは、２つの引戸Ｄ１、Ｄ２の引戸開閉方向での相対的な移動により、補助溝Ｒｓと当接部Ｃとの両方に当接して転動することができる。後に詳しく述べるように、連動輪Ｗの転動によって、２つの引戸Ｄ１、Ｄ２が連動することができる。連動輪Ｗが安定して補助溝Ｒｓに当接して転動するために、連動輪Ｗの幅は、補助溝Ｒｓの幅と略同一であることが好ましい。
【００２２】
連動輪Ｗは、図２に示されるように、１つの戸車ＤＲ１に対して２つ設けることもできる。上述したように、一方の引戸Ｄ１および他方の引戸Ｄ２のそれぞれに、下部案内部Ｇｌに当接して転動する戸車ＤＲ１、ＤＲ２が設けられているが、引戸Ｄ１、Ｄ２が安定して連動するために、一方の引戸Ｄ１が少なくとも２つの連動輪Ｗ１、Ｗ２を備え、一方の引戸Ｄ１の戸車ＤＲ１および連動輪Ｗ１、Ｗ２が、引戸の引戸開閉方向で、連動輪Ｗ１、Ｗ２の回転軸Ｗａ１、Ｗａ２の間に一方の引戸Ｄ１の戸車ＤＲ１の回転軸ＤＲａ１が位置するように配置されることが好ましい。このように配置されることで、連動輪Ｗ１、Ｗ２のうちいずれか一方の連動輪が、下部案内部Ｇｌの補助溝Ｒｓまたは連動輪収容部Ｓｔの当接部Ｃへの当接が不完全で、転動することができない状況が生じたとしても、他方の連動輪が、下部案内部Ｇｌの補助溝Ｒｓおよび連動輪収容部Ｓｔの当接部Ｃに当接して転動することができるので、２つの引戸Ｄ１、Ｄ２が安定して連動することができる。
【００２３】
ここで、図４を用いて、２つの引戸Ｄ１、Ｄ２が連動することによって開閉される連動引戸１の動作について説明する。図４は、開閉動作途中にある連動引戸１の斜視図である。なお、連動引戸１の開閉動作を説明するのに不要な構成は省略している。図４では、他方の引戸Ｄ２を引戸開閉方向（開放方向Ｏｐ、閉鎖方向Ｃｌ）に移動させると、連動輪Ｗ１、Ｗ２が、後に詳しく述べる連動輪収容部Ｓｔの当接部Ｃおよび下部案内部Ｇｌの両方に当接して一方の引戸Ｄ１が連動する様子が示されている。他方の引戸Ｄ２を開放方向Ｏｐ（図４中右上側）または閉鎖方向Ｃｌ（図４中左下側）に移動させると、他方の引戸Ｄ２に回転可能に取付けられ、下部案内部Ｇｌの下部溝Ｒ２に当接する戸車ＤＲ２は、他方の引戸Ｄ２の移動に追従して、図４中時計方向または反時計方向に回転して転動する。他方の引戸Ｄ２は、この戸車ＤＲ２があることによって、スムーズに移動することができる。他方の引戸Ｄ２の移動にともなって、連動輪収容部Ｓｔの当接部Ｃが開放方向Ｏｐまたは閉鎖方向Ｃｌに移動するので、当接部Ｃおよび下部案内部Ｇｌの補助溝Ｒｓに当接する連動輪Ｗ１、Ｗ２が、図４中時計方向または反時計方向に回転し、補助溝Ｒｓ上を開放方向Ｏｐまたは閉鎖方向Ｃｌに転動する。連動輪Ｗ１、Ｗ２は、連動輪支持部材Ｓｕ（図１）を介して、一方の引戸Ｄ１に回転可能に取付けられているので、連動輪Ｗ１、Ｗ２が補助溝Ｒｓ上を開放方向Ｏｐまたは閉鎖方向Ｃｌに転動することによって、一方の引戸Ｄ１は他方の引戸Ｄ２と連動して開放方向Ｏｐまたは閉鎖方向Ｃｌに移動する。以上のように、引戸Ｄ１、Ｄ２が連動することによって、連動引戸１は開閉動作が行なわれる。
【００２４】
つぎに、本発明の連動引戸１の連動輪収容部Ｓｔについて説明する。図１に示されるように、隣接する２つの引戸Ｄ１、Ｄ２のうちの他方の引戸Ｄ２の下端部かつ引戸の厚さ方向内側に、引戸開閉方向に沿って連動輪収容部Ｓｔが形成されている。本実施形態においては、連動輪収容部Ｓｔは、図１に示されるように、連動輪Ｗを収容し、連動輪Ｗが他方の引戸Ｄ２に対して引戸開閉方向に沿って移動可能にするために、他方の引戸Ｄ２の下端部のうち、一方の引戸Ｄ１に対向する側面Ｓ２側を引戸開閉方向に切り欠くことにより形成されている。本実施形態では、この他方の引戸Ｄ２の下端部の切り欠き部に、保護カバーＳＣを取り付けることにより、他方の引戸Ｄ２の下面側に開口した断面形状が略矩形状の溝状の空間が形成されている。連動輪収容部Ｓｔは、図１に示されるように、連動輪Ｗの少なくとも一部を収容することができるので、連動輪収容部Ｓｔが他方の引戸Ｄ２の下端部かつ引戸の厚さ方向内側に形成されることにより、２つの引戸Ｄ１、Ｄ２の間の隙間（図１中、左右方向の隙間）を広げることなく、２つの引戸Ｄ１、Ｄ２を連動させることができる。そして、連動輪収容部Ｓｔが引戸開閉方向に沿って形成されることにより、他方の引戸Ｄ２に対して連動輪Ｗが引戸開閉方向に移動しても、連動輪収容部Ｓｔに連動輪Ｗの少なくとも一部が収容され続けるので、２つの引戸Ｄ１、Ｄ２の間の隙間を広げることなく、２つの引戸Ｄ１、Ｄ２を連動させることができる。そして、このような構成により、引戸Ｄ１、Ｄ２の間の隙間を狭くすることができるので、引戸Ｄ１、Ｄ２を含む連動引戸１全体の幅（図１中、左右方向の幅）を狭くすることができる。
【００２５】
図１に示されるように、連動輪収容部Ｓｔは、連動輪Ｗの頂部が当接する当接部Ｃを備えている。本実施形態において当接部Ｃは、図１に示されるように、連動輪収容部Ｓｔの上部に、下部案内部Ｇｌと平行になるように形成されている。当接部Ｃが連動輪収容部Ｓｔに備えられることにより、連動輪Ｗは連動輪収容部Ｓｔ内において当接部Ｃに当接して転動する。したがって、２つの引戸Ｄ１、Ｄ２の間の隙間を広げることなく、２つの引戸Ｄ１、Ｄ２の間において、連動輪Ｗが転動することができる。さらに、引戸の厚さ方向内側に形成された連動輪収容部Ｓｔに当接部Ｃが備えられることにより、当接部Ｃが引戸の厚さ方向外側に設けられる場合と比べて、当接部Ｃが他方の引戸Ｄ２の中心線Ａに近いため、たとえ他方の引戸Ｄ２が引戸開閉方向に垂直な方向（図１中、左右方向）に傾いたとしても、連動輪Ｗはより安定して当接部Ｃに当接することができる。連動輪Ｗと当接部Ｃの当接が不完全な状況が生じてしまう場合には、その当接をより確実にするために、当接部Ｃに、弾性部材または付勢部材が設けられることが好ましい。ここで、弾性部材は、連動輪Ｗによって押圧されて、その反力で連動輪Ｗを下部案内部Ｇｌ側に付勢する力を生じさせるものであれば、合成ゴムなどいかなるものであってもよく、特に限定されない。また、付勢部材は、連動輪Ｗを下部案内部Ｇｌ側に付勢する力を生じさせるものであれば、コイルバネなどいかなるものであってもよく、特に限定されない。
【００２６】
図１に示されるように、連動輪収容部Ｓｔは、他方の引戸Ｄ２の引戸開閉方向に沿って設けられ、一方の引戸Ｄ１に対向する側面Ｓ２の下端部を覆う保護カバーＳＣを備えている。本実施形態では、保護カバーＳＣは、連動輪収容部Ｓｔの、一方の引戸Ｄ１に対向する側面側を覆うように、他方の引戸Ｄ２の鉛直方向に延びて設けられている。連動輪収容部Ｓｔが保護カバーＳＣを有することにより、連動輪収容部Ｓｔの内部が覆い隠され、他方の引戸Ｄ２を一方の引戸Ｄ１側から見たときに、その側面の全面が平坦であり、全体的な美観が保たれる。そして、連動輪Ｗを連動輪収容部Ｓｔに収容して、連動輪収容部Ｓｔが保護カバーＳＣを備える場合、上述したように、連動輪支持部材Ｓｕが、保護カバーＳＣの下端の鉛直下方向を通るように構成されている。これにより、連動輪Ｗの回転軸Ｗａが、他方の引戸Ｄ２の下端面よりも上方に位置している場合であっても、上記連動輪支持部材Ｓｕの連結部Ｓｕ２が、保護カバーＳＣの下端を迂回して連動輪Ｗと引戸Ｄ１とを連結する。これにより、保護カバーＳＣの下端を他方の引戸Ｄ２の下端近傍まで延ばすことができ、他方の引戸Ｄ２の美観を保つことができる。なお、保護カバーＳＣは、本実施形態では、断面略Ｌ字状に折り曲げられた形状を呈しているが、連動輪収容部Ｓｔの内部が一方の引戸Ｄ１側から見えないように覆うことができる形状であれば、特に限定されない。
【００２７】
以上説明したように、本発明の連動引戸１によれば、戸の下部側に連動引戸構造が設けられた引戸において、戸と戸の隙間をできるだけ小さくでき、戸のスライドに必要な全体幅、すなわち設置面積を小さくすることができる。
【００２８】
さらに、引戸内に連動輪の当接部が設けられることにより、当接部が引戸外に設けられる場合と比べて、当接部が引戸の中心線に近いため、たとえ引戸が引戸開閉方向に垂直な方向に傾いたとしても、連動輪はより安定して当接部に当接することができる。これにより、連動輪が回転せずに連動動作に誤差が生じて、開口部を開閉できなくなるようなことはない。
【符号の説明】
【００２９】
１  連動引戸
Ａ  中心線
Ｃ  当接部
Ｃｌ  閉鎖方向
Ｄ１、Ｄ２  引戸
ＤＲ１、ＤＲ２  戸車
ＤＲａ１  戸車回転軸
Ｆ  床面
Ｇｌ  下部案内部
Ｇｕ  上部案内部
Ｏｐ  開放方向
Ｒ１、Ｒ２  下部溝
Ｒｓ  補助溝
Ｓ１、Ｓ２  側面
ＳＣ  保護カバー
Ｓｔ  連動輪収容部
Ｓｕ  連動輪支持部材
Ｓｕ１  固定部
Ｓｕ２  連結部
Ｓｕ３  軸受部
Ｗ、Ｗ１、Ｗ２  連動輪
Ｗａ、Ｗａ１、Ｗａ２  連動輪回転軸
【図１】
2015031073.tif 000003
【図２】
2015031073.tif 000004
【図３】
2015031073.tif 000005
【図４】
2015031073.tif 000006
【図５】
2015031073.tif 000007
【図６】
2015031073.tif 000008